(57)【要約】      （修正有）【課題】歩行補助用杖と、歩行者の左右何れか一方の腰近傍部を歩行補助用杖に連結し歩行者の体重の一部を歩行補助用杖に伝達する連結部材とを備える歩行補助具であって、左右何れか一方の脚に痛みがあるが両脚歩行が可能な歩行者に適した歩行補助具を提供する。【解決手段】歩行者の左右何れか一方の大腿部を股間部から腰部へ向けて斜めに包囲する大腿部支持帯１１，１２又は歩行者の腰部を水平に包囲する腰部支持帯１３と、歩行補助用杖１４と、大腿部支持帯１１，１２又は腰部支持帯１３を歩行補助用杖１４に連結し歩行者の体重の一部を大腿部支持帯１１，１２又は腰部支持帯１３から歩行補助用杖１４に伝達する連結部材１５とを備え、歩行時に歩行補助用杖１４は連結部材１５と歩行補助用杖１４を握る歩行者の手と腕とのみを介して歩行者に連結される。【選択図】図１
2014236759.tif 000002
【特許請求の範囲】
【請求項１】
歩行者の左右何れか一方の大腿部を股間部から腰部へ向けて斜めに包囲する大腿部支持帯又は歩行者の腰部を水平に包囲する腰部支持帯と、歩行補助用杖と、大腿部支持帯又は腰部支持帯を歩行補助用杖に連結し歩行者の体重の一部を大腿部支持帯又は腰部支持帯から歩行補助用杖に伝達する連結部材とを備え、歩行時に歩行補助用杖は前記連結部材と歩行補助用杖を握る歩行者の手と腕とのみを介して歩行者に連結されることを特徴とする歩行補助具。
【請求項２】
大腿部支持帯に加えて歩行者の腰部を水平に包囲する腰部支持帯を備え又は腰部支持帯に加えて歩行者の左右何れか一方の大腿部を股間部から腰部へ向けて斜めに包囲する大腿部支持帯を備え、腰部支持帯は大腿部支持帯に固定されていることを特徴とする請求項１に記載の歩行補助具。
【請求項３】
歩行者の左右何れか他方の大腿部を股間部から腰部へ向けて斜めに包囲する大腿部支持帯を備え、腰部支持帯は前記他方の大腿部を股間部から腰部へ向けて斜めに包囲する大腿部支持帯に固定されていることを特徴とする請求項２に記載の歩行補助具。
【請求項４】
歩行補助用杖の連結部材係止部よりも下方の部位に、歩行補助具の使用時に歩行者が握る突起部が形成されていることを特徴とする請求項１乃至３の何れか１項に記載の歩行補助具。
【請求項５】
連結部材の長さが調節可能であることを特徴とする請求項１乃至４の何れか１項に記載の歩行補助具。
【請求項６】
連結部材は伸縮可能な弾性体であることを特徴とする請求項１乃至５の何れか１項に記載の歩行補助具。
【請求項７】
大腿部支持帯の長さが調節可能であることを特徴とする請求項１乃至６の何れか１項に記載の歩行補助具。
【請求項８】
腰部支持帯の長さが調節可能であることを特徴とする請求項１乃至７の何れか１項に記載の歩行補助具。
【請求項９】
連結部材は歩行補助用杖又は大腿部支持帯又は腰部支持帯に対して着脱可能であることを特徴とする請求項１乃至８の何れか１項に記載の歩行補助具。
【請求項１０】
歩行補助用杖と、一端が歩行補助用杖に連結され他端が歩行者の腰近傍部に連結可能な連結部材とを備え、連結部材は、他端が歩行者の腰近傍部に連結されると歩行者の体重の一部を歩行補助用杖に伝達し、歩行時に歩行補助用杖は前記連結部材と歩行補助用杖を握る歩行者の手と腕とのみを介して歩行者に連結されることを特徴とする歩行補助具。
【請求項１１】
歩行補助用杖の連結部材係止部よりも下方の部位に、歩行補助具の使用時に歩行者が握る突起部が形成されていることを特徴とする請求項１０に記載の歩行補助具。
【請求項１２】
連結部材の長さが調節可能であることを特徴とする請求項１０又は１１に記載の歩行補助具。
【請求項１３】
連結部材は伸縮可能な弾性体であることを特徴とする請求項１０乃至１２の何れか１項に記載の歩行補助具。
【請求項１４】
連結部材は歩行補助用杖又に対して着脱可能であることを特徴とする請求項１０乃至１３の何れか１項に記載の歩行補助具。
【発明の詳細な説明】
【技術分野】
【０００１】
本発明は歩行補助具に関するものである。
【背景技術】
【０００２】
歩行者の右大腿部を股間部から腰部へ向けて斜めに包囲する大腿部支持帯と、歩行補助用杖と、大腿部支持帯を歩行補助用杖に連結し歩行者の体重の一部を大腿部支持帯から歩行補助用杖に伝達する連結部材と、歩行補助用杖を歩行者の股間部下方の右大腿部に固定する固定部材とを備えることを特徴とする歩行補助具が特許文献１に開示されている。
特許文献１の歩行補助具においては、歩行者の体重の一部が大腿部支持帯と連結部材とを介して歩行補助用杖に伝達され、歩行補助用杖によって支持されることにより、右脚に障害がある歩行者の歩行が補助される。
右脚に痛みがあるが両脚歩行が可能な歩行者が杖を使用して歩行する場合、歩行者の体重は左右両脚と杖とに分配されて支持される。歩行者は、右脚着地時の右脚の痛みの程度に応じて、右脚着地時の右脚と杖下端との相対位置関係を調整し、場合により右膝の曲げ具合や体の傾きも調整して、右脚に掛かる荷重と杖に掛かる荷重の比率を調整しながら歩行する。従って、右脚に痛みがあるが両脚歩行が可能な歩行者が杖を使用して歩行する場合、杖は右脚から独立していることが望ましい。この観点から、歩行補助用杖が右脚に固定される特許文献１の歩行補助具は、右脚に痛みがあるが両脚歩行が可能な歩行者が歩行する場合の歩行補助具としては好ましくない。
【先行技術文献】
【特許文献】
【０００３】
【特許文献１】特開２００６−１０２４５５
【発明の概要】
【発明が解決しようとする課題】
【０００４】
本発明は、歩行補助用杖と、歩行者の左右何れか一方の腰近傍部を歩行補助用杖に連結し歩行者の体重の一部を歩行補助用杖に伝達する連結部材とを備える歩行補助具であって、左右何れか一方の脚に痛みがあるが両脚歩行が可能な歩行者に適した歩行補助具を提供することを目的とする。
【課題を解決するための手段】
【０００５】
上記課題を解決するために、本発明においては、歩行者の左右何れか一方の大腿部を股間部から腰部へ向けて斜めに包囲する大腿部支持帯又は歩行者の腰部を水平に包囲する腰部支持帯と、歩行補助用杖と、大腿部支持帯又は腰部支持帯を歩行補助用杖に連結し歩行者の体重の一部を大腿部支持帯又は腰部支持帯から歩行補助用杖に伝達する連結部材とを備え、歩行時に歩行補助用杖は前記連結部材と歩行補助用杖を握る歩行者の手と腕とのみを介して歩行者に連結されることを特徴とする歩行補助具を提供する。
右脚に痛みがあるが両脚歩行が可能な歩行者は本願歩行補助具の大腿部支持帯を右大腿部に装着し又は腰部支持帯を腰部に装着し、左脚に痛みがあるが両脚歩行が可能な歩行者は本願歩行補助具の大腿部支持帯を左大腿部に装着し又は腰部支持帯を腰部に装着する。歩行者は、痛みがある脚側の手で歩行補助用杖を握り、痛む脚の着地毎に杖の下端を地面に突き当てながら歩行する。歩行者の体重の一部が大腿部支持帯又は腰部支持帯と連結部材とを介して歩行補助用杖に伝達され、歩行補助用杖によって支持されることにより、痛む脚が支持する荷重が減少する。この結果、左右何れか一方の脚に痛みがあるが両脚歩行が可能な歩行者の歩行が補助される。
歩行補助用杖は、歩行時に前記連結部材と歩行補助用杖を握る歩行者の手と腕とのみを介して歩行者に連結されており、歩行者の脚から独立しているので、歩行者は、痛む脚の着地時の痛みの程度に応じて、痛む脚の着地時の脚と歩行補助用杖下端との相対位置関係を調整し、痛む脚に掛かる荷重と杖に掛かる荷重の比率を調整しながら歩行することができる。この結果、快適な歩行が実現される。
【０００６】
本発明の好ましい態様においては、大腿部支持帯に加えて歩行者の腰部を水平に包囲する腰部支持帯を備え又は腰部支持帯に加えて歩行者の左右何れか一方の大腿部を股間部から腰部へ向けて斜めに包囲する大腿部支持帯を備え、腰部支持帯は大腿部支持帯に固定されている。
上記構成によれば、腰部支持帯と大腿部支持帯の両方を介して歩行者の体重の一部が連結部材を介して歩行補助用杖に伝達されるので、痛む脚が支持する荷重が更に減少し、左右何れか一方の脚に痛みがあるが両脚歩行が可能な歩行者の歩行がより一層補助される。また、支持帯と人体との当接部面積が増加することにより、支持帯が人体に食い込んで支持帯装着者である歩行者に不快感を与える事態の発生が抑制される。
本発明の好ましい態様においては、歩行補助具は歩行者の左右何れか他方の大腿部を股間部から腰部へ向けて斜めに包囲する大腿部支持帯を備え、腰部支持帯は前記他方の大腿部を股間部から腰部へ向けて斜めに包囲する大腿部支持帯に固定されている。
上記構成によれば、歩行者の左右何れか他方の大腿部を股間部から腰部へ向けて斜めに包囲する大腿部支持帯からも歩行者の体重の一部が腰部支持帯と連結部材とを介して歩行補助用杖に伝達されるので、痛む脚が支持する荷重が更に減少し、左右何れか一方の脚に痛みがあるが両脚歩行が可能な歩行者の歩行がより一層補助される。また、支持帯と人体との当接部面積が更に増加し、支持帯が人体に食い込んで支持帯装着者である歩行者に不快感を与える事態の発生が更に抑制される。
本発明の好ましい態様においては、歩行補助用杖の連結部材係止部よりも下方の部位に、歩行補助具の使用時に歩行者が握る突起部が形成されている。
歩行補助用杖の連結部材係止部よりも下方の部位に、歩行補助具の使用時に歩行者が握る突起部を形成することにより、歩行補助用杖の操作性が向上する。
【０００７】
本発明の好ましい態様においては、連結部材の長さが調節可能である。
連結部材の長さを調節可能とすることにより、歩行補助用杖の体重支持分担率を可変とすることができ、歩行者の歩行困難度に応じた歩行補助用杖の最適利用が可能になる。
本発明の好ましい態様においては、連結部材は伸縮可能な弾性体である。
連結部材を伸縮可能な弾性体とすることにより、歩行者の体重の一部が支持帯と連結部材を介して歩行補助用杖に伝達される際に歩行者に印加される衝撃を緩和し、前記衝撃による不快感を緩和することができる。
本発明の好ましい態様においては、大腿部支持帯の長さが調節可能である。
本発明の好ましい態様においては、腰部支持帯の長さが調節可能である。
大腿部支持帯や腰部支持帯の長さを調節可能とすることにより、歩行者の体格に合わせて大腿部支持帯や腰部支持帯の長さを最適化することが可能になる。
本発明の好ましい態様においては、連結部材は歩行補助用杖又は大腿部支持帯又は腰部支持帯に対して着脱可能である。
連結部材を歩行補助用杖又は大腿部支持帯又は腰部支持帯に対して着脱可能とすることにより、歩行補助用杖を単なる杖として使用することが可能になる。
【０００８】
本発明においては、歩行補助用杖と、一端が歩行補助用杖に連結され他端が歩行者の腰近傍部に連結可能な連結部材とを備え、連結部材は、他端が歩行者の腰近傍部に連結されると歩行者の体重の一部を歩行補助用杖に伝達し、歩行時に歩行補助用杖は前記連結部材と歩行補助用杖を握る歩行者の手と腕とのみを介して歩行者に連結されることを特徴とする歩行補助具を提供する。
本発明に係る歩行補助具の連結部材の他端を歩行者の腰近傍部、例えばズボンやスカートのベルトに連結すれば、歩行時に体重の一部がベルトと連結部材とを介して歩行補助用杖に伝達され、歩行補助用杖によって支持されることにより、歩行者の歩行が補助される。
歩行補助用杖は、歩行時に前記連結部材と歩行補助用杖を握る歩行者の手と腕とのみを介して歩行者に連結されており、歩行者の脚から独立しているので、歩行者は、痛む脚の着地時の痛みの程度に応じて、痛む脚の着地時の脚と歩行補助用杖下端との相対位置関係を調整し、痛む脚に掛かる荷重と杖に掛かる荷重の比率を調整しながら歩行することができる。この結果、快適な歩行が実現される。
本発明の好ましい態様においては、歩行補助用杖の連結部材係止部よりも下方の部位に、歩行補助具の使用時に歩行者が握る突起部が形成されている。
歩行補助用杖の連結部材係止部よりも下方の部位に、歩行補助具の使用時に歩行者が握る突起部を形成することにより、歩行補助用杖の操作性が向上する。
本発明の好ましい態様においては、連結部材の長さが調節可能である。
本発明の好ましい態様においては、連結部材は伸縮可能な弾性体である。
本発明の好ましい態様においては、連結部材は歩行補助用杖又に対して着脱可能である。
連結部材の長さを調節可能とすることにより、歩行補助用杖の体重支持分担率が可変となって歩行者の歩行困難度に応じた歩行補助用杖の最適利用が可能になり、連結部材を伸縮可能な弾性体とすることにより、歩行者の体重の一部が連結部材を介して歩行補助用杖に伝達される際に歩行者に印加される衝撃を緩和し、前記衝撃による不快感を緩和することができ、連結部材を歩行補助用杖に対して着脱可能とすることにより、歩行補助用杖を単なる杖として使用することが可能になる。
【発明の効果】
【０００９】
本発明により、歩行補助用杖と、歩行者の左右何れか一方の腰近傍部を歩行補助用杖に連結し歩行者の体重の一部を歩行補助用杖に伝達する連結部材とを備える歩行補助具であって、左右何れか一方の脚に痛みがあるが両脚歩行が可能な歩行者に適した歩行補助具が提供される。
【図面の簡単な説明】
【００１０】
【図１】本発明の実施例に係る歩行補助具の、右膝痛の歩行者に装着された状態での正面図である。
【図２】本発明の実施例に係る歩行補助具を装着した右膝痛の歩行者の歩行動作工程を示す図である。
【図３】本発明の実施例に係る歩行補助具が備える歩行補助用杖の歩行動作工程中の動きを示す図である。
【発明を実施するための形態】
【００１１】
本発明の実施例に係る歩行補助具であって、右膝痛であるが両脚歩行が可能な歩行者が使用する歩行補助具を説明する。
図１に示すように、歩行補助具１は、右膝痛であるが両脚歩行が可能な歩行者２の左右の大腿部を股間部から腰部へ向けて斜めに包囲する一対の環状の大腿部支持帯１１、１２と、大腿部支持帯１１、１２の歩行者２腰部に対峙する上端部に固定されると共に歩行者２の腰部を水平に包囲する環状の腰部支持帯１３と、歩行補助用杖１４と、大腿部支持帯１２の歩行者２腰部に対峙する上端部を歩行補助用杖１４の頭部に連結する帯状或いは紐状或いは鎖状の柔軟な連結部材１５とを備えている。図１に示すように、歩行者２の両脚と歩行補助用杖１４の下端とが同一高さの地面に接地した状態で、歩行補助用杖１４の頭部は、大腿部支持帯１２の歩行者２腰部に対峙する上端部よりも上方にある。
歩行補助用杖１４の頭部、即ち歩行補助用杖１４の連結部材１５係止部、よりも下方の部位に、歩行補助具１の使用時に歩行者２が握る操作用突起部１４ａが形成されている。
一対の大腿部支持帯１１、１２と、腰部支持帯１３と、連結部材１５の長さは調節可能である。
連結部材１５は伸縮可能な弾性体である。
連結部材１５は歩行補助用杖１４及び／又は大腿部支持帯１２に対して着脱可能である。
図１に示すように、歩行補助具１を装着した歩行者２が歩行する際、歩行補助用杖１４は、歩行補助用杖１４を握る歩行者２の右手と右腕と連結部材１５とのみを介して歩行者２の体に連結されている。
【００１２】
歩行補助具１の作動を説明する。
右膝痛であるが両脚歩行が可能な歩行者２は、歩行補助具１の左右大腿部支持帯１１、１２を左右大腿部に装着し、腰部支持帯１３を腰部に装着し、右手で歩行補助用杖１４の操作用突起部１４ａを握り、右脚の着地毎に歩行補助用杖１４の下端を地面に突き当てながら歩行する。歩行者２の体重の一部が左右大腿部支持帯１１、１２と腰部支持帯１３と連結部材１５とを介して歩行補助用杖１４に伝達され、歩行補助用杖１４によって支持されることにより、膝痛のある右脚が支持する荷重が減少する。この結果、右膝痛であるが両脚歩行が可能な歩行者２の歩行が補助される。
歩行時に、歩行補助用杖１４は操作用突起部１４ａを握る歩行者２の右手と右腕と連結部材１５とのみを介して歩行者２の体に連結されており、歩行者２の脚から独立しているので、歩行者２は、膝が痛む右脚の着地時の痛みの程度に応じて、右脚着地時の右脚と歩行補助用杖１４下端との相対位置関係を調整し、膝が痛む右脚に掛かる荷重と歩行補助用杖１４に掛かる荷重との比率を調整しながら歩行することができる。この結果、快適な歩行が実現される。
【００１３】
歩行者２が直立状態から前に左脚を踏み出した時の様子を図２（ａ）に、左脚が着地した後右脚を前に踏み出した時の様子を図２（ｂ）に、踏み出した右脚に体重を掛け左脚を前に踏み出そうとする時の様子を図２（ｃ）に示す。いずれの状態においても、歩行者２は、右手で握った操作用突起部１４ａを介して、歩行補助用杖１４を操作し、歩行補助用杖１４を右脚に略沿うように位置決めする。
図２（ａ）〜（ｃ）に示した歩行動作工程において、歩行者２の体重は、右脚、左脚と、連結部材１５を介して体重の一部が伝達される歩行補助用杖１４とに３分配される。その分配比率は、歩行者２が操作用突起部１４ａを操作して決める右脚着地時の右脚に対する歩行補助用杖１４下端の相対位置、右脚着地時の歩行者２の姿勢、右脚着地時の歩行者２の右膝の曲げ方、等によって変わる。たとえば、通常の歩行では右膝に最大の荷重が掛かる動作工程である図２（ｃ）において、歩行補助用杖１４下端を右脚に接近させ、場合によっては更に歩行者２の姿勢を少し右に傾け、或いは右膝を曲げることにより、体重の多くが歩行補助用杖１４に伝わり右膝への荷重が低減し、膝痛が軽減される。ただし、右脚への荷重もあるので、地面に接している右脚を使って自然歩行に近い歩行動作をすることができる。歩行補助用杖１２は右脚に固定されていていないので、歩行者２は状況に応じて、右脚着地時の右脚と歩行補助用杖１４下端との相対位置関係を調整し、右脚への荷重比率を自らの意思によって自在に変えることができる。
【００１４】
図２（ａ）〜（ｃ）に示した歩行動作工程における歩行補助用杖１４の動きを図３に示す。歩行動作により歩行補助用杖１４は前方に移動して行くが、前記前方移動に従動する座標系で見ると、図３に示すように、歩行補助用杖１４は、連結部材１５の係止部である頭部を揺動中心として前後に揺動する。図２（ａ）に示す歩行動作工程では、図３に実線で示す後方への最大揺動位置にあり、図２（ｂ）に示す歩行動作工程では、図３に破線で示す前方への最大揺動位置にある。歩行者２は歩行補助用杖１４を操作して、前記揺動運動を実現する。操作用突起１４ａが歩行補助用杖１４の頭部よりも下方にあるので、歩行者２は、操作用突起部１４ａを握った右手を前後運動させることにより、歩行補助用杖１４を操作して、前記揺動を確実に実現することができる。すなわち、操作用突起部１４ａが歩行補助用杖１４の頭部よりも下方にあることにより、歩行補助用杖１４の操作性が向上する。
【００１５】
連結部材１５の長さが調節可能なので、歩行補助用杖１４の体重支持分担率を可変とすることができ、歩行者２の歩行困難度に応じた歩行補助用杖１４の最適利用が可能である。
連結部材１５が伸縮可能な弾性体なので、歩行者２の体重の一部が支持帯１１〜１３と連結部材１５を介して歩行補助用杖１４に伝達される際に歩行者２に印加される衝撃が緩和され、衝撃による不快感が緩和される。
大腿部支持帯１１、１２、腰部支持帯１３の長さが調節可能なので、歩行者２の体格に合わせて大腿部支持帯１１、１２、腰部支持帯１３の長さ長さを最適化することが可能である。
連結部材１５が歩行補助用杖１４又は大腿部支持帯１２に対して着脱可能なので、歩行補助用杖１４を大腿部支持帯１２から分離して単なる杖として使用することが可能である。
【００１６】
図１の実施例において、大腿部支持帯１１を省略しても良く、更に大腿部支持帯１１に加えて腰部支持帯１３を省略しても良い。大腿部支持帯１２から連結部材１５を介して歩行者２の体重の一部が歩行補助用杖１４に伝達されるので、歩行者２の歩行が補助され、歩行者の右膝の負担が軽減される。しかし、大腿部支持帯１２に加えて腰部支持帯１３からも連結部材１５を介して歩行者の体重の一部が歩行補助用杖１４に伝達されれば、歩行者の右膝の負担は更に軽減され、更に腰部支持帯１３に加えて大腿部支持帯１１からも連結部材１５を介して歩行者の体重の一部が歩行補助用杖１４に伝達されれば、歩行者の右膝の負担はより一層軽減される。また、支持帯と人体との当接部面積が増加することにより、支持帯が人体に食い込んで支持帯装着者である歩行者２に不快感を与える事態の発生が抑制される。
図１の実施例において、大腿部支持帯１１、１２を省略し、腰部支持帯１３を連結部材１５を介して歩行補助用杖１４の頭部に連結しても良い。腰部支持帯１３から連結部材１５を介して歩行者２の体重の一部が歩行補助用杖１４に伝達されるので、歩行者２の歩行が補助され、歩行者の右膝の負担が軽減される。
【００１７】
以上本発明の実施例を説明したが、本発明は上記実施例に限定されない。本発明は歩行補助用杖１４と一端が歩行補助用杖１４の頭部に連結され、他端が歩行者２の腰近傍部に連結可能な連結部材１５とのみでも成立する。
連結部材１５の他端を歩行者２の腰近傍部、例えばズボンやスカートのベルトに連結すれば、歩行時に体重の一部がベルトと連結部材１５とを介して歩行補助用杖１４に伝達され、歩行補助用杖１４によって支持されることにより、歩行者２の歩行が補助される。歩行補助用杖１４は、歩行時に連結部材１５と歩行補助用杖１４を握る歩行者２の手と腕とのみを介して歩行者２に連結されており、歩行者２の脚から独立しているので、歩行者２は、痛む脚の着地時の痛みの程度に応じて、痛む脚の着地時の脚と歩行補助用杖１４下端との相対位置関係を調整し、痛む脚に掛かる荷重と杖に掛かる荷重の比率を調整しながら歩行することができる。この結果、快適な歩行が実現される。
尚この場合、歩行者２の腰近傍部、例えばズボンやスカートのベルトに連結部材１５の他端を連結するための連結金具を連結部材１５の他端に予め取り付けておくか、あるいは連結部材１５の長さを充分にとって連結部材の他端をベルトに結び付けることができるようにしておく必要がある。
【産業上の利用可能性】
【００１８】
本発明に係る歩行補助具は、膝痛の軽減のみならず、脚首の痛みなど、歩行時に生じる脚の痛みを軽減するために広く利用可能である。
【符号の説明】
【００１９】
１  歩行補助具
２  歩行者
１１、１２  大腿部支持帯
１３  腰部支持帯
１４  歩行補助用杖
１４ａ  操作用突起部
１５  連結部材
【図１】
2014236759.tif 000003
【図２】
2014236759.tif 000004
【図３】
2014236759.tif 000005